(57)【要約】      （修正有）【課題】頻尿者は勿論であるが、身体健全な男性が日常の活動中において、イスに着座した姿勢にて、他人に気付かれず自由に放尿できる採尿装置を提供する。【解決手段】  陰茎にコンドーム形状の採尿具２を装着して、尿導チューブ４を介して陰茎より放出される尿を下肢に装着した使い捨ての尿収容嚢６に流入させる。【選択図】図１
2007222582.tif 000002
【特許請求の範囲】
【請求項１】
陰茎に包着されたる採尿具の下端に尿導チューブの上端を接続し、該尿導チューブの下先端を、下肢に装着されたる尿収容嚢の上部に接続してなることを特徴とする着座用採尿装置。
【請求項２】
請求項１記載の着座用採尿装置において、尿収容嚢の全外面を防水包装し、上部に尿導チューブ接続具及び排気孔を設けてなることを特徴とする着座用採尿装置。
【請求項３】
請求項１記載の着座用採尿装置において、採尿具の上端開口部に円環を設けてなることを特徴とする着座用採尿装置。
【請求項４】
請求項１記載の着座用採尿装置において、身体の下肢部に装着する取付けバンドに尿収容嚢を収納する機能部を設けてなることを特徴とする着座用採尿装置。
【請求項５】
請求項２記載の着座用採尿装置において、採尿具素材を柔軟、薄手にすることにより、陰茎に密着せしめることを特徴とした着座用採尿装置。
【請求項６】
支持パンツの前面に陰茎孔を設け、該陰茎孔の周部に掛止具を設けることにより、採尿具の円環を、該掛止具に嵌入せしめるようにしたことを特徴とする着座用採尿装置。
【発明の詳細な説明】
【技術分野】
【０００１】  本発明は男性が身体に装着して、放尿を収納するものであるが、特に椅子に着座した場合において、使用できる採尿装置に関するものである。
【背景技術】
【０００２】  幼児は生まれた時から何年かの間、おむつと称する、木綿の古着にて作られたものにて尿を採って居た、又、老齢になり寝たきりの病人になれば、再びおむつを使用する、木綿おむつは昔より近年に至るまで、多用されていたが、洗濯の手数と不潔、不衛生なため使用されなくなり、木綿おむつに代わり近年は高分子吸水紙にて作製された使い捨ての紙おむつが多用されている。
健康者が使用する紙おむつも多く市販されているが、これらは全て失禁用であって、通常の放尿量を受け入れる事はできない。
紙おむつを利用した先願は多数存在するが、殆どが失禁用のものであり、通常の放尿用の出願は病人用であって、健康者が日常に装着できるものは存在しない。
病院では、寝たきりの患者の尿を採る方法として、患者の尿道にチューブを挿入して、ベット下に置いた容器に尿を自然流下させている。【０００３】
【特許文献】  特開平７−１９４６３７、    特許公表１１−５１３５９７
【発明の開示】
【発明が解決しようとする課題】
【０００４】  身体壮健な男性にても、尿意の処理に苦痛する機会は多い、例えば車を長時間運転する、バス、タクシーの運転手である、この人達は尿意の我慢が蓄積して、そのため膀胱炎になる場合が多い、職業病になっている。
又、会議、議会、会合、総会、講演等にても、尿意の処理に困る事は多い、交通渋滞も多くの人に苦痛を与えている。
上記の各問題は全て、椅子に着座した場合である、その着座状態にて他人に気付かれず放尿が自由にできる採尿装置が切望されている。
椅子に着座した時のみでなく、頻尿の人達は常に尿意のため行動が制限、束縛されており、この人達の身体にも採尿装置を装着すれば尿意の心配から解放され日常の活動を増大させることができる。
交通渋滞は予測可能なものと、突然発生のものがあるが、遠隔地に行く場合は渋滞対策として採尿装置を装着するのが賢明である、そのために装着感、使用性の良い採尿装置が必要になっている。
【課題を解決するための手段】
【０００５】  本発明は上記問題点を解決するためになされたものであって、特に健康者の不安、苦痛を解消することに留意しており、椅子に着座した姿勢にて、他人に気付かれず自由に、放尿できる採尿装置の構成手段として、陰茎にコンドーム形状の採尿具を装着し、この採尿具の下端に柔軟なゴム又は化学性素材にて作られたチューブを連結して、陰茎より排出された尿を導く、人間が起立した姿勢の場合は、陰茎より排出された尿を流下せしめるに何等の支障、困難はないが、椅子に着座した場合は陰茎と椅子座面との高低差か僅少であり、このため尿を入れる収納袋の設置位置が限定される。【０００６】  尿を処理するものの先出願は多数見受けられるが、パンツ内に設ける方式、或いは股間に設ける方式のものが多い、これらのものはスペースの関係から尿を吸収する部分が軽小であり、失禁用、即ち尿漏れを処理するものであり、通常の排尿を受け入れるものでない  健康な男性の排尿量は相当な量になるため、収容する嚢はそれなりの容積を要する、その嚢の設置位置であるが、健康な男性が日常において尿意の処理に困惑するのは、トイレに行けない状況下である、この状況は多く例えば、バス、タクシーの運転中、交通渋滞時の乗車人、又会議、会合、等の参加者、これらの場合は全て椅子に着席しており、尿嚢を設ける場所が大きく限定される。【０００７】  椅子に着座した場合に、尿嚢を設置できる場所は下肢部分のみである、このため下肢部に尿嚢を取り付けるバンドにより装着する。尿を収容する嚢は現今多用されている高分子吸水紙製の使い捨て紙おむつと同質素材にて、適合した形状に作製する。
陰茎に装着して尿を採る採尿具は、従来のコンドームと同質、又は同質に近い素材にて作製するが、形状もコンドームに類似したものである。              似たものある。
【発明の効果】
【０００７】  本発明は次の効果を奏する、現今の市場にて販売されている紙おむつは全て、陰茎が紙おむつ内に納められる方式又は紙おむつに接触した方式である、このため放尿後の尿は紙おむつにてゲル化しているとしても、液体が流動性を失ったに過ぎず、依然として水分が残存しており、このため陰茎は尿の中に浸潤したる状態になり、極めて不快になる、更に股間に尿重量が加重することは、使用者の活動性を減少し容認されない、本発明はこの問題点を解決したものであって、陰茎と紙おむつを離隔して、陰茎に不快感を与えない、そのため健康な男性が尿意のため苦痛していた問題点が解消される、バス、タクシー運転手の職業病たる膀胱炎発病も解消される。
頻尿者も本発明採尿装置を使用することにより、心配なく行事に参加することができるこのように本発明は多くの人達の社会生活に大きく貢献するものである。
【実施例】
【０００８】  以下本発明を図面に基づき詳細に説明する、図１は本発明の着座用採尿装置の着座状態時の側面図である、従来の採尿装置は病人を対象としたものであったが、本発明は病人にも使用できるものであるが、身体健全な男性の採尿を主眼としたものである。
図１の１は人体にして椅子に着座した姿勢を示したものである、２はコンドーム形状の採尿具であって従来のコンドームと同様な方法にて陰茎を嵌めて、陰茎より排出される尿を受けるものである、採尿具２は形状も材質も従来のコンドームと殆ど同様の薄い素材にて作製されているため陰茎に密着して尿の漏出を防止することができ、且つ陰茎に不快な接触感を与えず快適に使用ができる。
採尿具２の下端部には接続具Ａ３が設けられており、この接続具Ａ３により尿導チューブ４が接続されている、この尿道チューブ４は天然ゴム、合成ゴム、化学性素材等にて作られた柔軟性の管である。
尿導チューブ４の孔径であるが、陰茎より排出される尿が停滞せずスムーズに流れ得る孔径であればよ良く、不必要に太くする必要はない。【０００９】  尿導チューブ４の下端には尿収容嚢６が接続具Ｂ５にて接続されている、この尿収容嚢６は、現今市販の高分子吸水紙製の使い捨て紙おむつと同質のものであって、使用後は廃棄されるが  他の部分は破損しない限り反復して使用する。
尿収容嚢６は、健康な男性の排尿量を受け入れる容積が必要であるため、かなりの形状になる。
尿収容嚢６の設置場所としては、腰部又は大腿部が適所であるが、この部位は着座した場合に陰茎との高低差が僅少であり、尿収容嚢６を設置するスペースも無く、このようなため下肢部８に尿収容嚢６を装着する、９は尿収容嚢６を入れる袋を設けた取付けバンドである、尿収容嚢６の外面全体は防水性素材にて包装されているため密閉状態である、このため尿漏れはしないが、尿の流入も不能である、そこで排気孔７を設けて、内部の空気を排出して尿の流入を可能にする。
椅子に着座して居て放尿し、その後、席を外した時は、その用務を終了した時であるため、その時に尿収容嚢６を取り外し処理する、尿の入った尿収納嚢６を下肢部８に装着した状態にて用務を続行する事は、極めてまれと言えるので、行動に支障は与えない。
本発明の採尿装置は着座の場合を主目的にしているが、起立した場合にても使用し得る事は勿論である。【００１０】  図２は本発明の着座用採尿装置の採尿具２を保持する支持パンツ１０の斜視図である、１０は本採尿装置を使用する場合に着用する支持パンツであって、前面部に陰茎孔１２が設けられており使用者の陰茎が、この陰茎孔１２により外部に出される、陰茎孔１２の孔周囲には掛止具１１が設けられている。
支持パンツ１０の役目は、使用者の陰茎に装着された採尿具２が陰茎より脱落する事を防止するためと、陰毛を外部に出さない、この要件のためのものである、支持パンツ１０は夏季用と冬季用に分類すれば使用感が向上し好適である。【００１１】  図３は本発明の着座用採尿装置の採尿具２の一部切截側面図である、この採尿具２は、従来市販のコカドームと素材、形状が殆ど同一であり、陰茎が嵌入する点も同じであるが、用途は全く相違しており、陰茎から排出される尿を採るためのものである。
１３は採尿具２の上端に設けられた円環であって、通常のコンドームの端部に比し、各段に太く作られている、そのため陰茎に着脱させる操作が極めて容易である、そして更に支持パンツ１０に設けられた掛止具１１に円環１３を嵌め入れることが容易である、掛け外しも容易である。
採尿具２はコンドーム同様の薄い素材にて作られているため、陰茎に対し違和感がなくしかも陰茎に密着するため尿漏れを簡単、容易に防止することができる。
通常のコンドームは、取り外しに際し陰毛を巻き込み簡単に外すことができなかったが本発明では、支持パンツ１０により陰毛の露出を防止しているため、採尿具２の着脱が極めてスムーズにできる。【００１２】  図４は本発明の着座用採尿装置の採尿具２が掛止具１１に掛止された状態を示す一部切截側面図である。
支持パンツ１０の外に陰茎１４が出ており、この陰茎１４は採尿具２の中に収納されている、従来のコンドームは着脱する場合は、端を巻き上げまた巻き戻しを、していた、本発明の採尿具２の操作も、全く同じ方法で行うが、本発明の採尿具２に設けられた円環１３は太くされているため、操作性が極めてスムーズである、そして掛止具１１に入れるのも容易であり、外すのも容易である。
寝たきりの病人なれば、使用感など問題にしないが、身体健全な男性が日常の活動中に使用する採尿装置となれば、使用感が特に要求される、そのため陰茎１４に違和感を与えない事が最も重要とされる、本発明はその要求に応える構成になされている。【００１３】  図５は本発明の着座用採尿装置の尿収容嚢６の一部切截正面図である、現今の市場には高分子吸水紙製の紙おむつが多数販売されているが、密閉された袋状のものは見受けられない、本発明の採尿装置に使用される尿収容嚢６は従来の使い捨て紙おむつと同質の素材にて作製されているが、外面が防水性素材にて包装されており、袋状であるため完全密閉である、この尿収容嚢６の上部には接続具Ｂ５と排気孔７が設けられている。
接続具Ｂ５に尿導チャーブ４が接続され尿が流入される、排気孔７は尿収容嚢６内に尿が流入する場合に内部の空気を排出するためのものである。
この尿収容嚢６の容量であるが、放尿一回を受け入れるものが最も好まれる容量である健康な男性の一回量は、相当な容積になるため、椅子に着座した場合は、下肢部分にしか装着スペースが無いため下肢に取付けバンド９にて装着される。。
尿収容嚢６は尿を収納した後は、再使用できないため廃棄処分される。
本発明はこのような実施例に何等限定されるものでなく、本発明の要旨を逸脱しない範囲において種々なる態様にて実施し得ることは勿論である。
【産業上の利用の可能性】
【００１４】  本発明の採尿装置は、現今の市場に存在して居ない、健康な男性を対象とした採尿装置であり、本発明装置の実現を待望する声は高く、市場も広いため産業として大きく期待されている。。
【図面の簡単な説明】
【００１５】
【図１】は本発明の着座用採尿装置の着座状態時の側面図である。
【図２】は本発明の着座用採尿装置の採尿具２を保持する支持パンス１０の斜視図である。
【図３】は本発明の着座用採尿装置の採尿具２の一部切截側面図である。
【図４】は本発明の着座用採尿装置の採尿具２が掛止具１１に掛止された状態を示す一部切截側面図である。
【図５】は本発明の着座用採尿装置の尿収容嚢６の一部切截正面図である。
【符号の説明】
【００１６】  １  人体
２  採尿具
３  接続具Ａ
４  尿導チューブ
５  接続具Ｂ
６  尿収容嚢
７  排気孔
８  下肢部
９  取付けバンド
１０  支持パンツ
１１  掛止具
１２  陰茎孔
１３  円環
１４  陰茎
【図１】
2007222582.tif 000003
【図２】
2007222582.tif 000004
【図３】
2007222582.tif 000005
【図４】
2007222582.tif 000006
【図５】
2007222582.tif 000007